(57)【要約】【課題】従来技術では、作業対象物は可動な場合が想定されており、また、作業担当者識別の必要性は考慮されていなかった。したがって、作業対象物が不可動な場合に対し従来技術を適用すると、工事現場で作業する際、作業対象物から作業情報を得れるものの、それがどの作業担当者に割り当てられた作業であるか判断する必要があった。本発明の目的は、上記のような、作業対象物が不可動であるシステムにおける、作業情報表示方法システムを提供するものである。【解決手段】本発明は、作業対象物と作業対象者の条件で作業情報を表示する作業情報管理システムである。【選択図】図１
2007122526.tif 000002
【特許請求の範囲】
【請求項１】
作業情報を記録する記録装置を有し、作業情報を表示する携帯型作業情報管理装置において、
前記携帯型作業情報管理装置は、前記記録装置に、作業者のＩＤ，動かせない作業対象物のＩＤ及び作業内容を対応させて記録し、前記作業対象物に取り付けられたＩＤタグ及び前記作業者のＩＤタグを読み取って前記作業対象物のＩＤ及び前記作業者のＩＤを取得するＩＤ情報受信手段と、前記ＩＤ受信手段により取得した前記作業対象物のＩＤと作業者のＩＤに基づいて前記記録装置から前記作業情報を抽出する作業情報抽出手段と、前記抽出した作業情報を表示装置に表示する携帯型作業情報表示手段
を有することを特徴とする携帯型作業情報管理装置。
【請求項２】
請求項１に記載の携帯型作業情報管理装置において、
前記作業内容の変更を行う場合に、ＩＤを取得して、前記作業内容の変更が許可されたＩＤか判断する手段を有することを特徴とする携帯型作業情報管理装置。
【請求項３】
請求項１に記載の携帯型作業情報管理装置において、
前記作業内容に対する作業結果である作業状況の入力を行う場合に、ＩＤを取得して、前記作業内容の変更が許可されたＩＤか判断する手段を有することを特徴とする携帯型作業情報管理装置。
【請求項４】
請求項１に記載の携帯型作業情報管理装置において、
前記作業対象物は、制御盤であることを特徴とする携帯型作業情報管理装置。
【請求項５】
作業情報を記録する記録装置を有し、前記作業情報を表示する携帯型作業情報管理装置の作業情報管理方法において、
前記携帯型作業情報管理装置は、
前記記録装置に記録された作業者のＩＤ，動かせない作業対象物のＩＤ及び作業内容を対応させて記録し、
前記作業対象物に取り付けられたＩＤタグ及び前記作業者のＩＤタグをＩＤ情報受信手段により読み取って前記作業対象物のＩＤ及び前記作業者のＩＤを取得し、
前記ＩＤ受信手段により取得した前記作業対象物のＩＤと作業者のＩＤに基づいて前記記録装置から前記作業情報を抽出し、
前記抽出した作業情報を表示装置に表示する
ことを特徴とする携帯型作業情報管理装置の作業情報管理方法。
【請求項６】
請求項５に記載の携帯型作業情報管理装置の作業情報管理方法において、
前記作業内容の変更を行う場合に、ＩＤを取得して、前記作業内容の変更が許可されたＩＤか判断することを特徴とする携帯型作業情報管理装置の作業情報管理方法。
【請求項７】
請求項５に記載の携帯型作業情報管理装置の作業情報管理方法において、
前記作業内容に対する作業結果である作業状況の入力を行う場合に、ＩＤを取得して、前記作業内容の変更が許可されたＩＤか判断することを特徴とする携帯型作業情報管理装置の作業情報管理方法。
【請求項８】
請求項５に記載の携帯型作業情報管理装置の作業情報管理方法において、
前記作業対象物は、制御盤であることを特徴とする携帯型作業情報管理装置の作業情報管理方法。
【請求項９】
作業情報を記録する記録装置を有する中央管理装置と、前記中央管理装置と通信し前記作業情報を表示する複数の携帯型作業情報管理装置とを有する作業情報管理システムであって、
前記中央管理装置は、前記記録装置に、作業者のＩＤ，動かせない作業対象物のＩＤ及び作業内容を対応させて記録し、
前記携帯型作業情報管理装置は、前記作業対象物に取り付けられたＩＤタグ及び前記作業者のＩＤタグを読み取って前記作業対象物のＩＤ及び前記作業者のＩＤを取得するＩＤ情報受信手段と、前記ＩＤ受信手段により取得した前記作業対象物のＩＤと作業者のＩＤに基づいて、通信により前記記録装置から前記作業情報を抽出する作業情報抽出手段と、前記抽出した作業情報を表示装置に表示する作業情報表示手段
を有することを特徴とする作業情報管理システム。
【請求項１０】
請求項９に記載の作業情報管理システムにおいて、
前記中央管理装置は、前記作業情報が変更された場合に、変更後の作業情報に対応する前記携帯型作業情報管理装置に、変更後の作業情報を送信することを特徴とする作業情報管理システム。
【請求項１１】
請求項９に記載の作業情報管理システムにおいて、
前記中央管理装置は、前記記録装置に携帯型端末装置と作業者ＩＤを対応させた管理表を有し、前記作業情報が変更された場合に、変更後の作業情報と一部共通する作業情報を有する携帯型端末装置へ、前記管理表に基づいて前記変更後の作業情報を送信する
ことを特徴とする作業情報管理システム。
【発明の詳細な説明】
【技術分野】
【０００１】
本発明は、作業者に作業情報を伝達するための、作業情報表示方法およびシステムに関する。
【背景技術】
【０００２】
作業指示・作業実績管理方法および作業指示・作業実績管理システムは、現在までに数多く発表されている。例えば、最近特許文献１に開示されたものにＲＦＩＤを利用したものがある。しかし、この特許文献１のシステムは、作業対象物が可動な場合が想定されており、発電プラントや化学プラントの工事において作業対象となる、各種制御盤のような不可動なものは想定されていない。
【０００３】
【特許文献１】特開２００５−１９０１２０号公報
【発明の開示】
【発明が解決しようとする課題】
【０００４】
発電プラントや化学プラントにおける各種制御盤の新設および更新工事においては、作業対象物である各種制御盤は移動がほぼ不可である。よって各作業区分の作業担当者が各種制御盤の前に赴き作業をする。従来技術では、作業対象物は可動な場合が想定されており、また、作業担当者識別の必要性は考慮されていなかった。したがって、作業対象物が不可動な場合に対し従来技術を適用すると、工事現場で作業する際、作業対象物から作業情報を得れるものの、それがどの作業担当者に割り当てられた作業であるか判断する必要があった。
【０００５】
本発明の目的は、上記のような、作業対象物が不可動であるシステムにおける、作業情報表示方法システムを提供するものである。
【課題を解決するための手段】
【０００６】
本発明は、作業対象物と作業対象者の条件で作業情報を表示する作業情報管理システムである。
【発明の効果】
【０００７】
作業対象物が動かすことができない場合の作業においても、作業情報を適切に表示することができる。
【発明を実施するための最良の形態】
【０００８】
以下、本発明を図面に示す実施例に基づいて説明する。
【０００９】
図１は、本発明である作業情報管理システムの概念図である。１−２は作業担当者に配布された読取りＩＤタグである。１−３は動かすことのできない作業対象物（例えば、制御盤）に取り付ける読取りＩＤタグである。１−１は前記ＩＤタグを読込んで各種処理を行う携帯型端末であり、作業情報管理を行う装置である。前記携帯型端末１−１と前記各種ＩＤタグ１−２および１−３は無線通信が可能である。図１の矢印番号１の情報の流れは、携帯型端末１−１が作業者のＩＤタグ１−２と制御盤のＩＤタグ１−３を読み込むものである。図１の矢印番号２の情報の流れは、携帯型端末１−１が表示画面上に作業情報を表示して、その表示された作業情報を作業者が見るときの情報の流れを表すものである。
【００１０】
図２は、本発明である作業指示・作業実績管理システムの構成の一例を示すブロック図である。２−１−１は前記携帯型端末１−１を制御するＣＰＵである。２−１−２は作業情報などを記憶する為のハードディスク等の記憶領域である。２−１−３，２−１−４，２−１−５はそれぞれメモリ，入力手段，表示手段である。ＩＤ情報読取手段２−１−６は作業担当者に配布された前記読取りＩＤタグ１−２および作業対象物（制御盤）に取り付ける読取りＩＤタグ１−３からＩＤ情報を読み取るリーダである。作業者ＩＤタグ１−２には作業者ＩＤ情報２−２−１が記録されており、作業対象物ＩＤタグ１−３には作業対象物ＩＤ情報１−３が記録されている。
【００１１】
図３は、前記携帯型端末１−１の機能構成の一例を示すブロック図である。記憶領域２−１−２は、作業情報３−１を格納している。作業情報３−１はＩＤ番号管理表および作業情報管理表を有する。３−２は前記各種ＩＤタグ１−２および１−３のＩＤ情報を読込むＩＤ情報受信部である。３−３は前記ＩＤ情報受信部３−２で読込まれたＩＤ情報をキーにして前記作業情報３−１から必要な情報を抽出する作業情報抽出部である。３−４は前記作業情報抽出部３−３で抽出された情報を表示する作業情報表示部である。これら
ＩＤ情報受信部３−２，作業情報抽出部３−３，作業情報表示部３−４の各機能はメモリ２−１−３のソフトウェアをＣＰＵ２−１−１で実行される。
【００１２】
図４は、前記記憶領域２−１−２内に格納されるＩＤ番号管理表の一例である。ＩＤ番号０００１に対して作業者１が割り当てられ、ＩＤ番号０００２に対して作業対象物Ａが割り当てられている。この例では、統一されたＩＤ番号に対して作業者と作業対象物が混合して割り当てられているが、作業者ＩＤと作業対象物ＩＤを分けて管理しても良い。
【００１３】
図５は、前記記憶領域２−１−２内に格納される作業情報管理表の一例である。作業情報管理表には作業件名，予定日，作業内容，作業区分，作業対象物，作業者，作業状況，完了日，確認者の項目を設けている。各項目について説明する。作業件名は、新設工事，更新工事等の作業種類を記入する。予定日は、その作業を行う日を入れ、日の他に時間まで入れても良い。作業内容は、作業対象物についての作業者が行う作業を記入する。作業区分は、作業を区分けしたものであり、適宜入力する。作業対象物は、制御盤のＩＤ番号を記入する。作業者は、作業者のＩＤ番号を記入する。作業状況，完了日，確認者は作業実績の管理で用いるものであり、図９で説明する。作業情報の変更は、変更を許可されたＩＤか否かを判断して行うが、詳細は図９で説明する。
【００１４】
図６は、前記携帯型端末１−１におけるＩＤ情報の読込みおよび作業情報の抽出・表示処理の流れである。ステップ６−１では、前記ＩＤ情報受信部３−２を使いＩＤ情報の受信処理を行う。ステップ６−２では、前記作業情報抽出部３−３を使い前記作業情報３−１からＩＤ情報にマッチする作業情報の抽出処理を行う。ステップ６−３では、前記作業情報抽出部で抽出された作業情報を前記作業情報表示部３−４を使い作業情報伝達表として表示する表示処理を行う。作業が終了するとステップ６−４の判断から、ステップ６−５へ進み表示終了処理を行い、終了する。
【００１５】
図７は、前記図６の流れに従い、前記図４および図５から抽出・表示される作業情報伝達表の一例である。この図は読込んだＩＤ番号が０００１と０００２の場合の一例である。作業者１が作業者ＩＤタグ１−２を携帯型端末１−１で読み込むと図４のＩＤ番号管理表の様にＩＤ番号０００１が入力される。その作業者１が作業対象物ＡのＩＤタグ１−３を携帯型端末１−１で読み込むと図４のＩＤ番号管理表の様にＩＤ番号０００２が入力される。このＩＤ番号０００１と０００２に基づいて、図５の作業情報管理表の作業者１と作業対象物Ａを検索し、対応する作業内容イとハを含む作業情報を抽出する。この抽出された情報を表示装置に表示する。図７の様に全ての項目を表示しても良いし、作業に関係する作業件名，予定日，作業内容，作業区分を表示して、作業状況，完了日，確認者は表示しなくても良い。この様に、作業者ＩＤと作業対象物ＩＤに対応した作業内容を表示して、作業対象物が動かすことができない場合の作業においても、作業情報を適切に表示することができる。
【００１６】
図８は、前記携帯型端末１−１における作業実績情報の入力・反映処理の流れである。ステップ８−１からステップ８−３まではステップ６−１からステップ６−３までと同一である為、省略する。ステップ８−４で作業実績を入力する。ステップ８−５で入力した作業実績情報を前記作業情報３−１に反映し、終了する。この様に作業実績情報を管理する管理システムとして前記携帯型端末１−１を用いることもできる。
【００１７】
図９は、前記図８の流れに従い、前記図７に作業実績情報を反映した作業情報伝達表の一例である。この図は４／１分の作業実績が入力・反映された場合の一例である。図９の作業状況，完了日，確認者の項目は管理者により記入される。また、作業内容の変更等も管理者により記入される。作業管理者は、自分のＩＤタグのＩＤ情報を携帯型端末１−１に読み込ませる。携帯型端末装置は、作業情報の変更が許可されたＩＤと一致するか判断する判断処理により、ＩＤを入力した者が作業管理者か否か判断する。作業管理者である場合には、作業情報の変更をすることができる。確認者の項目に入力されたＩＤ番号を記入し、作業状況と完了日の入力画面を表示する。作業管理者により作業状況と完了日が入力され、入力処理８−４が終了した後、作業情報管理表へ反映して図９の様に管理する。作業内容の変更を作業管理者のみに許可することにより、作業内容の責任を明確とすることができる。また、作業結果である作業状況の変更を作業管理者のみに許可することにより、作業の流れの進行についての責任を明確とすることができる。
【００１８】
図１０は、Ｎ個の携帯型端末を用いる場合のネットワーク構成概念図である。中央管理装置１０−１は携帯型端末１０−２から携帯型端末１０−４までの情報を一致化させる機能を有するものである。管理者ＩＤタグ１０−５は管理者に対し中央管理装置での作業情報の各種処理を許可する認証キーとなるものである。管理者は中央管理装置１０−１の作業内容を記入することができ、作業内容の変更を許可するか否かを判断する処理は図９の作業内容変更の許可と同様である。このように、中央管理装置で作業内容を変更し、各携帯型端末からＩＤ番号を通信して、作業内容を変更された作業情報を送信することで、各携帯型端末間の作業情報を一致管理することができる。
【００１９】
図１１は、中央管理装置１０−１の構成図である。１１−１は中央管理装置１０−１を制御するＣＰＵである。１１−２は作業情報などを記憶する為のハードディスク等の記憶領域である。１１−３，１１−４，１１−５はそれぞれメモリ，入力手段，表示手段である。通信手段１１−６は携帯型端末１０−２等と情報を通信する。通信手段１１−６は無線でも有線でも良い。記憶領域１１−２には、図５の作業情報管理表を有し、ＣＰＵ１１−１では図６の読込処理６−１，抽出処理６−２を行う。携帯型端末１０−２から通信手段１１−６にＩＤ情報が送信された場合、該当する作業情報を抽出処理６−２により抽出し、通信手段１１−６により対応する作業情報を送信する。
【００２０】
上述した図１０，図１１の実施例では、中央管理装置１０−１で作業情報を管理していたが、図１〜図９で示した携帯型端末１−１で作業情報を管理するものと合わせて、中央管理装置１０−１及び携帯型端末１−１の両方で作業情報を管理することもできる。
【００２１】
また、図１２に作業情報を変更した例を示す。図５の作業内容ハについての作業対象物をＡからＢに変更した例を示すと、図１２の様になる。中央管理装置１０−１及び携帯型端末１−１のどちらにおいても、ある作業情報を変更した場合に、変更により関連する作業情報が発生した場合には、検索により抽出することもできる。この関連する作業情報の抽出は、変更した作業情報と同一の作業予定日で、同一の作業対象物Ｂについて抽出する。抽出された情報は色替え表示で表示することができる。この様に、複数の作業情報の間で、変更した作業情報と同一の情報を有するものを抽出することにより、作業情報の計画の不備を見つけることが容易とすることができる。
【００２２】
また、中央管理装置１０−１で作業内容を変更した場合、全ての携帯型端末に送信しても良いし、変更した作業内容に該当する携帯型端末のみに送信しても良い。変更した作業内容に該当する携帯型端末のみに送信する場合には、携帯型端末と作業情報を対応させた管理表を中央管理装置で有して、その管理表に基づいて送信する。例えば、図１２の様に、作業内容ハの作業情報について、作業対象物をＡからＢに変更した場合には、同一の作業予定日で同一の作業対象物Ｂについての作業情報を抽出する。この抽出により、作業内容ニについての作業者２の作業が関連するとして抽出できる。作業者２に、作業者１の作業が関連するとして、関連情報として送信する。この際、作業者２の有する携帯型端末がどれであるかを管理する為に、携帯型端末と作業者ＩＤを対応させた管理表を中央管理装置で有する。この携帯型端末と作業者ＩＤを対応させた管理表で、送信先を特定して関連情報を送信する。この様に、作業情報が変更された場合に、変更後の作業情報と一部共通する作業情報を有する携帯型端末へ、前記変更後の作業情報を送信することにより、作業者間の関連を考慮した全体の作業管理を容易に行うことができる。
【図面の簡単な説明】
【００２３】
【図１】システムの概念図。
【図２】システムの構成図。
【図３】携帯型端末の機能構成図。
【図４】ＩＤ番号管理表。
【図５】作業情報管理表。
【図６】読込・抽出・表示の流れ。
【図７】作業情報伝達表。
【図８】入力・反映の流れ。
【図９】作業情報伝達表
【図１０】ネットワーク構成概念図。
【図１１】中央管理装置の構成図。
【図１２】作業情報管理表の変更後の表。
【符号の説明】
【００２４】
１−１，１０−２，１０−３，１０−４…携帯型端末、１−２，１−３…読取りＩＤタグ、２−１−１，１１−１…ＣＰＵ、２−１−２，１１−２…記憶領域、２−１−３，
１１−３…メモリ、２−１−４，１１−４…入力手段、２−１−５，１１−５…表示手段、２−１−６…ＩＤ情報読取手段、３−１…作業情報、３−２…ＩＤ情報受信部、３−３…作業情報抽出部、３−４…作業情報表示部、１０−１…中央管理装置、１０−５…管理者ＩＤタグ、１１−６…通信手段。
【図１】
2007122526.tif 000003
【図２】
2007122526.tif 000004
【図３】
2007122526.tif 000005
【図４】
2007122526.tif 000006
【図５】
2007122526.tif 000007
【図６】
2007122526.tif 000008
【図７】
2007122526.tif 000009
【図８】
2007122526.tif 000010
【図９】
2007122526.tif 000011
【図１０】
2007122526.tif 000012
【図１１】
2007122526.tif 000013
【図１２】
2007122526.tif 000014